(57)【特許請求の範囲】
【請求項１】
壁に取り付けられるステーと、このステーに保持される水栓本体と、前記ステーを覆うカバーを備え、このカバーが複数のカバー体で構成され、一のカバー体は前記ステーの両側に配置される側板部が連結部で一体に連結されたものであり、前記ステーの両側端部に、前記一のカバー体の両側板部の夫々の内面に当接する被嵌込部が形成され、前記カバー体の各側板部の内面に、前記対応する被嵌込部が上下方向及び前後方向に移動が規制された状態で嵌め込まれる嵌込部が形成されたことを特徴とする水栓。
【請求項２】
前記連結部の前縁部が水栓本体の下面に重ねられることを特徴とする請求項１に記載の水栓。
【請求項３】
前記カバーは、前記一のカバー体で構成される第一カバー体に加えて、前記第一カバー体の両側板部上に載置されてステーの上側を覆う第二カバー体を有し、前記第一カバー体の各側板部に内側方に向けて突出する掛合部が形成され、前記第二カバー体の両側に、対応する前記掛合部に掛合して上方への移動が規制される被掛合部が形成されたことを特徴とする請求項１又は請求項２に記載の水栓。
【請求項４】
前記第一カバー体の連結部の前縁部が水栓本体の下面に重ねられると共に前記第二カバー体の前縁部が水栓本体の上面に重ねられ、前記第一カバー体の連結部の前縁部と前記第二カバー体の前縁部で水栓本体が上下に挟まれることを特徴とする請求項３に記載の水栓。
【発明の詳細な説明】
【技術分野】
【０００１】
本発明は、水栓本体を壁に取り付けられるステーで支持し、このステーをカバーで覆った水栓に関する。
【背景技術】
【０００２】
従来から壁に取り付けられたステーで水栓本体を支持し、このステーをカバーで覆った水栓が特許文献１により知られている。この水栓は、カバーが複数のカバー体で構成され、一のカバー体を構成する背面カバーがステーに対してねじで取付けられ、ステーの両側に配置された他のカバー体である各カラーは前端部が水栓本体の本体部に対して固定されると共に後端部が背面カバーに嵌め込まれて保持される。また、特許文献１には前記各カラーを背面カバーと一体に形成することも開示されている。
【先行技術文献】
【特許文献】
【０００３】
【特許文献１】特開２００８−１３８３９７号公報
【発明の概要】
【発明が解決しようとする課題】
【０００４】
ところが、前記各カラーに外側方から荷重が加わった場合には、カラーが内側方に撓んで、変形したり、カラーと他のカバー体の間に隙間が形成されたりする恐れがある。また、各カラーを背面カバーと一体に成形した場合には寸法誤差によって当該カラー部分が内側に位置する可能性があり、この場合もカラー部分と他のカバー体との間に隙間等が生じる恐れがある。また、前記各カラーを設けるにはステーに背面カバーをねじを用いて取り付ける必要があり、施工に手間を要する。
【０００５】
本発明は上記事情に鑑みてなされたものであって、カバーを外観良く容易に施工できる水栓を提供することを課題とする。
【課題を解決するための手段】
【０００６】
上記課題を解決するために本発明の水栓は、壁に取り付けられるステーと、このステーに保持される水栓本体と、前記ステーを覆うカバーを備え、このカバーが複数のカバー体で構成され、一のカバー体は前記ステーの両側に配置される側板部が連結部で一体に連結されたものであり、前記ステーの両側端部に、前記一のカバー体の両側板部の夫々の内面に当接する被嵌込部が形成され、前記カバー体の各側板部の内面に、前記対応する被嵌込部が上下方向及び前後方向に移動が規制された状態で嵌め込まれる嵌込部が形成されたことを特徴とする。
【０００７】
また、前記連結部の前縁部が水栓本体の下面に重ねられることが好ましい。
【０００８】
また、前記カバーは、前記一のカバー体で構成される第一カバー体に加えて、前記第一カバー体の両側板部上に載置されてステーの上側を覆う第二カバー体を有し、前記第一カバー体の各側板部に内側方に向けて突出する掛合部が形成され、前記第二カバー体の両側に、対応する前記掛合部に掛合して上方への移動が規制される被掛合部が形成されることが好ましい。
【０００９】
また、前記第一カバー体の連結部の前縁部が水栓本体の下面に重ねられると共に前記第二カバー体の前縁部が水栓本体の上面に重ねられ、前記第一カバー体の連結部の前縁部と前記第二カバー体の前縁部で水栓本体が上下に挟まれることが好ましい。
【発明の効果】
【００１０】
本発明にあっては、カバーを外観良く且つ容易に施工することができる。
【図面の簡単な説明】
【００１１】
【図１】本発明の実施形態の第一カバー体及びステーに第二カバー体を取付ける前の状態を示す斜視図である。
【図２】水栓の斜視図である。
【図３】水栓の後側から見た斜視図である。
【図４】水栓本体に継手を接続する前の状態を示す斜視図である。
【図５】ステーに継手を取付ける前の状態を示す斜視図である。
【図６】水栓本体にシャワー用配管を接続する前の状態を示す斜視図である。
【図７】ステーに第一カバー体を取付ける前の状態を示す斜視図である。
【図８】ステーに第一カバー体を取り付けた状態を示す斜視図である。
【図９】第二カバー体の固定部を第一カバー体の嵌込溝に嵌めた状態を示す斜視図である。
【図１０】第二カバー体の被掛合部及び固定部を示す斜視図である。
【図１１】水栓ユニットを掛具に引っ掛けた状態を示す斜視図である。
【図１２】水栓ユニットを掛具に引っ掛ける前の状態を示す斜視図である。
【図１３】水栓ユニットを壁に固着する前の状態を示す斜視図である。
【図１４】第三カバー体を取り付ける前の水栓の斜視図である。
【図１５】カバーの上部を後側から見た斜視図である。
【発明を実施するための形態】
【００１２】
以下、本発明を添付図面に基づいて説明する。本実施形態の水栓１は浴室の壁２（図１４等参照）に沿って設けられるカバー付きの湯水混合水栓である。なお、以下では、特に記載する場合を除いて、各構成部材について設置状態における方向を基準として説明する。すなわち、壁２と直交する方向を前後方向とすると共に水栓１から見て壁２側を後方として説明する。
【００１３】
図１３に示すように浴室には水栓１に水を供給するための配管として給水管３及び給湯管５が設けられる。給水管３及び給湯管５は屈曲自在なフレキシブル管からなり、壁２に前方に突出して設けられたカウンター６の内部に通された後、壁２に沿ってカウンター６の上方に引き出される。給水管３及び給湯管５は、後述の水栓ユニット１３及びカバー体１８の設置前において、ねじ１０により壁２に取り付けられた保持具７により保持される。
【００１４】
水栓１は、図１１に示す水栓ユニット１３と、前記保持具７と、図１４等に示される合成樹脂製のカバー体１８で構成されている。
【００１５】
水栓ユニット１３はカウンター６の上方の壁２に取り付けられる。図１１のように、水栓ユニット１３は、水栓本体１９と、水栓本体１９に設けられる継手２０，２１及びシャワー用配管７１（図６参照）と、ステー２２と、ステー２２の左右両側を覆うカバー体１６と、ステー２２の上側を覆うカバー体１７（図１参照）とで構成されている。
【００１６】
水栓本体１９は弁装置を内蔵したシリンダー（不図示）をハウジング２３内に組み込んだものである。図４のようにハウジング２３の後部は後方から見て長手方向を左右方向とした矩形状に形成されている。このハウジング２３の後部はカバー体１６とカバー体１７で上下に挟み込まれる挟込部２５となっている。
【００１７】
挟込部２５の後面両側には継手接続部７２，７３が設けられている。継手接続部７２，７３には継手２０，２１の夫々の下流端部が接続され、これら継手２０，２１により給水管３及び給湯管５の夫々はシリンダーに接続される。挟込部２５の後面中央部には配管接続部７５が設けられている。配管接続部７５にはシャワー用配管７１の上流端部が接続され、シャワー用配管７１の下流側にはシャワーヘッド（不図示）が設けられる。
【００１８】
給水管３及び給湯管５から継手２０，２１を介して水及び湯の夫々が前記シリンダー内に供給され、これら水及び湯はシリンダー内で所望の割合で混合されて所望温度の湯水が生成される。
【００１９】
図１１のようにハウジング２３の前部中央部には前記湯水を吐出するための吐水口２６が下方に突出して設けられている。
【００２０】
ハウジング２３の前部の外側面には切替ハンドル２７が設けられている。切替ハンドル２７を操作することで、シリンダー内で生成された湯水を、吐水口２６側に供給して吐出するか、あるいはシャワー用配管側に供給してシャワーヘッドから吐出するかが切り替えられる。また、切替ハンドル２７を操作することで、前記吐水口２６やシャワーヘッドから吐出される湯水の量の調節も行えるようになっている。
【００２１】
ハウジング２３の前部の前記切替ハンドル２７と反対側の外側面には温度調節ハンドル２８が設けられている。温度調節ハンドル２８を操作することで、前記シリンダー内で混合される水と湯の割合を調節でき、これにより吐水口２６やシャワーヘッドから吐出される湯水の温度が調節される。
【００２２】
図５のように各継手２０，２１は側方から見てクランク状に屈曲したソケットからなる。クランク状にすることで各継手２０，２１の下部に形成された前後に延びる管部２９には、図示しない止水栓及びストレーナーが内装されている。
【００２３】
各継手２０，２１は下端部に下方に突出した接続口部３０を有している。両継手２０，２１の接続口部３０には給水管３の下流端部及び給湯管５の下流端部の夫々が接続される。
【００２４】
図１１のように各継手２０，２１の管部２９の前面には前記止水栓の操作部３１が設けられている。各操作部３１を操作することで、給水管３や給湯管５から水栓本体１９へ給水するか否かが切り替えられる。
【００２５】
各継手２０，２１の管部２９の前面は脱着可能なキャップ３２で構成され、このキャップ３２に前記ストレーナーが取り付けられている。継手２０，２１からキャップ３２を取り外すことで前記ストレーナーを継手２０，２１から取り出して掃除等が行えるようになっている。
【００２６】
水栓本体１９の後方に配置されるステー２２は壁２に取り付けられ、継手２０，２１を介して水栓本体１９を保持する。ステー２２はステンレス製の金属板からなり、図５に示すように、左右に長い板状の壁掛部３３と、壁掛部３３の両側から下方に向けて突出して継手２０，２１の夫々が固着される継手固着部３５を有している。各継手固着部３５にはねじ７６を通すための孔８０が形成されている。一方、各継手２０，２１の管部２９の後端部には上方に突出する被固着部７８が設けられ、各被固着部７８にはねじ孔７９が設けられている。各継手固着部３５に継手２０，２１を取り付けるには、継手固着部３５の孔８０に後方から通したねじ７６を継手２０，２１のねじ孔７９にねじ込む。
【００２７】
ステー２２の一方の継手固着部３５の外側縁には前方に突出する配管支持部７７形成されている。配管支持部７７により水栓本体１９の配管接続部７５に接続されたシャワー用配管７１が支持される。
【００２８】
図１に示す水栓ユニット１３のカバー体１６，１７は、カバー体１８と同様、合成樹脂成形品からなり、これらカバー体１６〜１８で水栓１全体のカバー１５が構成されている。以下カバー体１６〜１８の夫々を、第一カバー体１６、第二カバー体１７、第三カバー体１８と記載する。
【００２９】
第一カバー体１６は、図７に示すようにステー２２の両側に配置される側板部３６を連結部３７で一体に連結したものであり、ステー２２に取り付けられる。
【００３０】
各側板部３６はカバー１５の上端部の側面を構成する。連結部３７は両側板部３６の下縁の前端部同士を接続する横板状に形成されている。各側板部３６の下縁には内側方に突出する下縁部３８が形成されている。両下縁部３８の前端は連結部３７の後縁の両側端部に接続され、両下縁部３８の間には開口３９が形成されている。
【００３１】
第一カバー体１６の各側板部３６の内面における後端部の上部には内側方に突出する被嵌込部４０が形成されている。各被嵌込部４０は前後に離間した縦リブ８１，８２の下部を上下に離間した横リブ８３，８４で接続したものである。
【００３２】
両縦リブ８１，８２の間は横リブ８３によって上下に仕切られている。横リブ８３の下方には内側方に開口すると共に上下端が横リブ８３，８４によって塞がれた下溝８６が形成されている。横リブ８３の上方には内側方に開口すると共に下端部が横リブ８４によって塞がれた上溝８７が形成され、上溝８７は上方に開口している。
【００３３】
ステー２２の壁掛部３３の両側端部には嵌込部４１が形成されている。各嵌込部４１は壁掛部３３の上下両端部から外側方に突出する突片部８８，８９からなる。
【００３４】
第一カバー体１６をステー２２に取り付けるには、図８のように第一カバー体１６の両側板部３６の被嵌込部４０をステー２２の対応する嵌込部４１に嵌め込む。すなわち、第一カバー体１６の各下溝８６にステー２２の対応する下の突片部８９を嵌め込むと共に第一カバー体１６の各上溝８７にステー２２の対応する上の突片部８８を嵌め込む。これにより各被嵌込部４０は、突片部８９によって上下方向及び前後方向の移動が規制されると共に、突片部８８によって前後方向の移動が規制される。
【００３５】
第一カバー体１６の各被嵌込部４０をステー２２の対応する嵌込部４１に嵌め込んだ状態では、ステー２２の突片部８８，８９が第一カバー体１６の側板部３６の内面を構成する上溝８７及び下溝８６の夫々の奥面に当接する。従って、ステー２２の嵌込部４１により、第一カバー体１６の両側板部３６の内側方への移動が規制される。
【００３６】
このようにステー２２に取り付けられた第一カバー体１６は、図１１に示すように連結部３７の前縁部が水栓本体１９の挟込部２５の下面後縁部に当接して重ねられる。また、第一カバー体１６の両側板部３６の前縁部が水栓本体１９の挟込部２５の両側面後端部に重ね合わされる。また、前記ステー２２に取付けられた継手２０，２１は、その下部が第一カバー体１６の開口３９を介して下方に突出する。
【００３７】
図７に示すように第一カバー体１６の一方の側板部３６（図示例では向かって左側の側板部３６）には、シャワー用配管７１の下流側を水栓ユニット１３から引き出すための孔４２が形成されている。
【００３８】
図１に示す第二カバー体１７は第一カバー体１６及びステー２２に取り付けられる。第二カバー体１７の主体は第一カバー体１６の両側板部３６の間に形成された空間の上方を覆う面板部９０で構成され、カバー１５の上端面を構成する。
【００３９】
図１０のように面板部９０の下面両側の前後２箇所には、下方に突出する被掛合部４３が形成されている。各被掛合部４３は面板部９０の両側縁よりもやや内側に位置し、面板部９０の両側縁部は両側の被掛合部４３よりも外側方に突出している。各被掛合部４３は側面視Ｌ字状に形成され、面板部９０から下方に突出する縦片部９１と、縦片部９１の下端部から前方に突出する横片部９２とで構成されている。
【００４０】
面板部９０の下面における各被掛合部４３の近傍には下方に突出する固定部９３が夫々形成されている。各固定部９３は前後に長い棒状に形成され、後端部が縦片部９１の内側端部に接続されている。
【００４１】
図９に示すように、第一カバー体１６の各側板部３６の内面の前後２箇所には掛合部４５が形成されている。各掛合部４５は側面視逆Ｌ字状に形成され、各側板部３６の上端部から内側方に向けて突出する横片９５を備えている。各側板部３６の横片９５の上面は側板部３６の上端面と面一となり、同面には前後に開口した嵌込溝９６が形成されている。
【００４２】
第二カバー体１７を第一カバー体１６に取付けるには、まず、第二カバー体１７の面板部９０の両側縁部を第一カバー体１６の両側板部３６上に載せる。このとき、第二カバー体１７は取付け位置よりもやや後方にずれた位置に載せ、第二カバー体１７の各被掛合部４３は第一カバー体１６の対応する掛合部４５の後方に配置する。次に、第二カバー体１７を第一カバー体１６の両側板部３６の上縁に沿って前方にスライドさせる。これにより、図１５のように第二カバー体１７の各被掛合部４３の横片部９２が第一カバー体１６の対応する横片９５の下面に掛合され、上方への移動が規制される。同時に、図９のように第二カバー体１７の各固定部９３が第一カバー体１６の対応する嵌込溝９６に嵌め込まれ、左右の移動が規制される。
【００４３】
図３に示すように第二カバー体１７の面板部９０の後端部中央には下方に突出する側面視略Ｌ字状の掛止部４６が形成されている。また、ステー２２の壁掛部３３の左右方向中央部には掛孔４７が形成されている。前記第二カバー体１７を第一カバー体１６に取付けた状態では、掛止部４６の先端部がステー２２の掛孔４７の上縁部に掛止され、上方への移動が規制される。
【００４４】
このように第二カバー体１７を第一カバー体１６に取付けた状態では、図１２等に示すように第二カバー体１７の前縁部下面が水栓本体１９の挟込部２５の後端部の上面に当接して重ねられる。これにより、水栓本体１９の挟込部２５は、第一カバー体１６の連結部３７と第二カバー体１７とで上下に挟まれる。また、第二カバー体１７の面板部９０の両側縁部が第一カバー体１６の両側板部３６上に載置されると共に、面板部９０の後縁部がステー２２の壁掛部３３上に載置される。
【００４５】
水栓ユニット１３の組立は例えば以下のように行われる。まず、図４に示す水栓本体１９に継手２０，２１を接続して図５のようにし、この後、各継手２０，２１をステー２２に取付けて図６のようにする。次に、水栓本体１９にシャワー用配管７１を接続すると共に、シャワー用配管７１を配管支持部７７で支持して図７のようにする。次に第一カバー体１６をステー２２に取付けて図８のようにし、この後、第二カバー体１７を第一カバー体１６及びステー２２に取り付ける。なお、これらの施工方法は前述した通りである。
【００４６】
水栓ユニット１３を壁２に取付けるにあたって、図１２のように壁２には掛具４８が左右に二個並べて設けられる。各掛具４８は筒状のスペーサーからなり、その外周面には周方向に亘って溝４９が形成されている。各掛具４８を壁２に取付けるには、ねじ５１を筒状の掛具４８の内側の孔に前方から通して壁２に固着する。
【００４７】
図３のようにステー２２の壁掛部３３の両側には壁掛孔５２が形成されている。各壁掛孔５２は下部よりも上部の孔幅を小さくしただるま孔からなる。また、各継手２０，２１の下部には壁固着部５３が形成されている。壁固着部５３は継手２０，２１の後端部から左右両側に向けて突出している。各壁固着部５３にはねじ５５（図１３参照）を挿通させるための孔５６が形成されている。
【００４８】
水栓ユニット１３を壁２に取付けるには、まず、ステー２２両側の壁掛孔５２の下部に、対応する掛具４８を挿入する。次に、水栓ユニット１３を壁２に沿って下方に移動して、各掛具４８を壁掛孔５２の上部に配置する。これにより、各掛具４８の溝４９に壁掛孔５２の上縁部が嵌まり、ステー２２の壁掛部３３が両掛具４８に引掛けられて、図１１のように水栓ユニット１３が壁２に仮止めされる。この後、各継手２０，２１の各壁固着部５３の孔５６に前方から通したねじ５５（図１３参照）を壁２に固着することで、水栓ユニット１３が壁２に本固定される。
【００４９】
水栓ユニット１３が壁２に取付けられた後、水栓ユニット１３の継手２０，２１の接続口部３０には、図１４のように前記保持具７により保持された給水管３及び給湯管５の夫々の下流端部が接続される。
【００５０】
この後、第三カバー体１８が、第一カバー体１６と保持具７の両者に脱着可能に取付けられ、カウンター６とこの上方の水栓ユニット１３の間に配置される。
【００５１】
第三カバー体１８は、図３に示すように前面部５７から両側面部５８及び下面部５９を後方に突出したものであり、上方及び後方に開口している。下面部５９の両側には、カウンター６から上方に引き出した給水管３及び給湯管５の夫々を通すための切欠６０が形成されている。
【００５２】
第三カバー体１８の各側面部５８の下部内面には上下に長い凹部からなる被嵌合部６１が形成されている。また、図１４に示すように、保持具７の左右両端部には被嵌合部６１が嵌合される嵌合部６２が形成されている。
【００５３】
図２のように第三カバー体１８の前面部５７は、下部が鉛直であるのに対して上部が上方程前方に位置するよう傾斜している。図１４のように前面部５７の上端部両側には後方に向けて突出する被差込部６３が形成されている。前面部５７の上端部中央には後方に向けて突出して先端に爪部６６を有する引掛部６５が形成されている。また、図１５のように第三カバー体１８の各側面部５８の上端部には、内側方に突出する背面視逆Ｌ字状の被挿入部６７が形成されている。
【００５４】
図１１に示すように、第一カバー体１６の連結部３７の後縁部には下方に突出する後縁部６８が形成されている。後縁部６８の両側端部には前方にリブを突出することで前側が開口した差込溝６９が形成されている。また、第一カバー体１６の各下縁部３８の後端部には、下方に曲片を突出して前方に開口する挿入溝７０が形成されている。各挿入溝７０は正面視逆Ｌ字状に形成されている。
【００５５】
第三カバー体１８を第一カバー体１６と保持具７に取り付けるには、図１４のように第三カバー体１８を上側が前側に位置するよう傾斜させて、第三カバー体１８の凹状の各被嵌合部６１に保持具７の各嵌合部６２の先端部を嵌め込む。続いて、第三カバー体１８の上部を前方に押し込んで、第三カバー体１８の各被差込部６３及び各被挿入部６７を、第一カバー体１６の対応する差込溝６９及び挿入溝７０に前方から差し込む。同時に図１５のように第三カバー体１８の引掛部６５を第一カバー体１６の後縁部６８の下方に差し入れる。
【００５６】
上記により、第三カバー体１８の各被嵌合部６１に保持具７の各嵌合部６２が嵌合して、第三カバー体１８の下部の前後方向の移動が規制される。また、第三カバー体１８の各被差込部６３及び各被挿入部６７が、第一カバー体１６の差込溝６９及び挿入溝７０に差し込まれて、第三カバー体１８が第一カバー体１６で支持される。また、第三カバー体１８の引掛部６５の爪部６６が第一カバー体１６の後縁部６８の後面に引掛かり、これにより第三カバー体１８の前方への移動が規制される。
【００５７】
このように第三カバー体１８を第一カバー体１６と保持具７に取り付けると、第三カバー体１８によって、継手２０，２１の夫々の下部、給水管３、給湯管５、及び保持具７が覆われる。すなわち、第一カバー体１６、第二カバー体１７、及び第三カバー体１８の三者で構成されたカバー１５全体では、前後方向において水栓本体１９と壁２の間に配置された、ステー２２、継手２０，２１、給水管３、給湯管５、掛具４８、及び保持具７の全てが覆い隠される。
【００５８】
カバー１５の上端部は水栓ユニット１３の第一カバー体１６及び第二カバー体１７で構成され、同部は前記第三カバー体１８よりも前方に突出する。
【００５９】
第三カバー体１８を第一カバー体１６と保持具７から取り外すことで、各継手２０，２１の下部、給水管３及び給湯管５等を露出させることができる。このため、継手２０，２１に設けられた止水栓の操作、ストレーナーの清掃、水漏れチェック等の点検作業を容易に行うことができる。
【００６０】
以上説明した本実施形態の水栓１は、ステー２２の両側端部に被嵌込部４０が形成されると共に、第一カバー体１６の各側板部３６の内面に前記対応する被嵌込部４０が上下方向及び前後方向に移動が規制された状態で嵌込まれる嵌込部４１が形成されている。このため、ステー２２の各被嵌込部４０を第一カバー体１６の対応する嵌込部４１に嵌め込むことにより、第一カバー体１６をステー２２に容易に取付けることができる。また、ステー２２の両被嵌込部４０は第一カバー体１６の両側板部３６の夫々の内面に当接するので、第一カバー体１６の側板部３６に外側方から荷重が加わったとしても、この側板部３６を被嵌込部４０で受けることができる。従って、側板部３６が変形したり、側板部３６と他のカバー体１７，１８との間に隙間が形成されたりすることを防止できる。また、寸法誤差や施工誤差により第一カバー体１６の両側板部３６が内側に位置していた場合も、側板部３６と他のカバー体１７，１８との間に隙間が形成されたりすることを防止できる。
【００６１】
また、第一カバー体１６の連結部３７の前縁部が水栓本体１９の下面に重ねられるため、連結部３７に当接する水栓本体１９により、第一カバー体１６が上方へ移動することを規制でき、第一カバー体１６をしっかり固定できる。
【００６２】
また、第一カバー体１６の各側板部３６に内側方に向けて突出する掛合部４５が形成され、第二カバー体１７の両側に掛合部４３に掛合して上方への移動が規制される被掛合部４３が形成されている。このため、ステー２２の上側を覆う第二カバー体１７を掛合により第一カバー体１６に簡単に取り付けることができる。さらに、第一カバー体１６の連結部３７の前縁部が水栓本体１９の下面に重ねられると共に第二カバー体１７の前縁部が水栓本体１９の上面に重ねられ、第一カバー体１６の連結部３７の前縁部と第二カバー体１７の前縁部で水栓本体１９が上下に挟まれる。このため、第一カバー体１６及び第二カバー体１７の上下方向に移動が水栓本体１９によって規制され、第一カバー体１６及び第二カバー体１７をしっかり固定できる。
【００６３】
なお、本実施形態の水栓１は湯水混合水栓であるが、水又は湯のみを吐出する水栓であってもよく、すなわち、この場合は水供給用の配管として給水管３又は給湯管５の一方のみが設けられることとなる。また、本実施形態のステー２２は継手２０，２１を介して水栓本体１９を保持するものであるが、ステー２２は水栓本体１９を直接保持するものであってもよい。また、前記水供給用の配管３，５は継手２０，２１を介さず直接水栓本体１９に接続されるものであってもよい。また、本実施形態ではカバー１５を第一〜第三カバー体１６〜１８で構成したが、２又は４以上のカバー体でカバーを構成してもよい。また、水栓ユニット１３において壁２に固着される壁固着部５３を継手２０，２１に設けたが、ステー２２等、その他の水栓ユニット１３を構成する部材に壁固着部５３を設けても構わない。また、第三カバー体１８は第一カバー体１６に取付けたが、水栓ユニット１３の第一カバー体１６以外の部材に取り付けても構わない。
【符号の説明】
【００６４】
１  水栓
１５  カバー
１６  第一カバー体
１７  第二カバー体
１８  第三カバー体
１９  水栓本体
２２  ステー
３６  側板部
３７  連結部
４０  被嵌込部
４１  嵌込部
４３  被掛合部
４５  掛合部
【図１】
0005457988.tif 000002
【図２】
0005457988.tif 000003
【図３】
0005457988.tif 000004
【図４】
0005457988.tif 000005
【図５】
0005457988.tif 000006
【図６】
0005457988.tif 000007
【図７】
0005457988.tif 000008
【図８】
0005457988.tif 000009
【図９】
0005457988.tif 000010
【図１０】
0005457988.tif 000011
【図１１】
0005457988.tif 000012
【図１２】
0005457988.tif 000013
【図１３】
0005457988.tif 000014
【図１４】
0005457988.tif 000015
【図１５】
0005457988.tif 000016